(57)【要約】【課題】ＩＣタグの取付作業性の向上を図りつつ、ＩＣタグとの通信をより好適に行うことのできる箱型容器を提供する。【解決手段】折畳み容器１の長辺側側壁部１２を構成する下壁部１５は、ベース壁部３１と、ＩＣタグ５１が取付けられる取付面３９を有し、ベース壁部３１の一部を外方に膨出させることで形成されるとともに、取付面３９をベース壁部３１の外面よりも外方に位置させる取付台３４とを備えている。取付台３４が下壁部１５の外面側に膨出形成されることによって下壁部１５の内面側に形成された内面側凹部４５には、当該内面側凹部４５の少なくとも一部を埋める近接防止リブ４６が設けられている。【選択図】      図３
2014005029.tif 000002
【特許請求の範囲】
【請求項１】
略矩形板状の底壁部と、前記底壁部の各側辺部からそれぞれ上方に延出する側壁部とを備え、少なくとも１つの前記側壁部の外面に対してＩＣタグが取付けられる箱型容器において、
前記ＩＣタグが取付けられる前記側壁部は、ベース壁部と、前記ＩＣタグが取付けられる取付面を有し、前記ベース壁部の一部を外方に膨出させることで形成されるとともに、前記取付面を前記ベース壁部の外面よりも外方に位置させる膨出部とを備え、
前記膨出部が前記側壁部の外面側に膨出形成されることによって前記側壁部の内面側に形成された内面側凹部には、当該内面側凹部の少なくとも一部を埋める近接防止手段が設けられていることを特徴とする箱型容器。
【請求項２】
前記近接防止手段は、前記内面側凹部の底面から一体的に延出し、前記膨出部が形成された前記側壁部の横幅方向、かつ、高さ方向に対して傾斜して延びるリブを備えていることを特徴とする請求項１に記載の箱型容器。
【請求項３】
前記側壁部が前記底壁部に対して相対的に回転可能に構成され、前記側壁部同士を上下に重ねるようにして折り畳み可能な箱型容器において、
前記側壁部は、相対する一対の第１側壁部と、相対する一対の第２側壁部とを備え、前記第１側壁部を略水平方向に延びるようにして畳んだ状態とすることで、前記第２側壁部を略水平方向に延びるようにして畳むことのできる構成であって、
前記第２側壁部のうち少なくとも一方において、当該第２側壁部の横幅方向中央部において前記膨出部が設けられるとともに、
前記近接防止手段は、前記内面側凹部の横幅方向中央部側、かつ、上下方向において箱型容器を折畳む際に前記第１側壁部が畳まれる側に向けて傾斜して延びているリブを備えていることを特徴とする請求項２に記載の箱型容器。
【請求項４】
前記側壁部が前記底壁部に対して相対的に回転可能に構成され、前記側壁部同士を上下に重ねるようにして折り畳み可能な箱型容器において、
前記側壁部は、相対する一対の第１側壁部と、相対する一対の第２側壁部とを備え、前記第１側壁部を略水平方向に延びるようにして畳んだ状態とすることで、前記第２側壁部を略水平方向に延びるようにして畳むことのできる構成であって、
前記第２側壁部のうち少なくとも一方において前記膨出部が設けられるとともに、
前記膨出部は、前記取付面が形成される取付壁と、前記取付壁と前記ベース壁部とを連結する枠状の連結壁とを備え、
前記連結壁は、前記膨出部の膨出方向先端側に向けて縮径するテーパ状をなしていることを特徴とする請求項１乃至３のいずれかに記載の箱型容器。
【請求項５】
略矩形板状の底壁部と、前記底壁部の各側辺部からそれぞれ上方に延出する側壁部とを備え、少なくとも１つの前記側壁部の外面に対してＩＣタグが取付けられる箱型容器において、
前記ＩＣタグが取付けられる前記側壁部は、当該側壁部の内面よりも外方に位置し、前記ＩＣタグが取付けられる取付壁を備え、
前記取付壁の内面側には、前記側壁部の内面との間の少なくとも一部を埋める近接防止手段が設けられていることを特徴とする箱型容器。
【請求項６】
前記ＩＣタグが取付けられる前記側壁部は、
ベース壁部と、
前記ベース壁部から内方に延出し、延出方向先端縁によって当該側壁部の内面を構成する補強リブと、
前記取付壁を有し、前記ベース壁部の一部を内方に膨出させることで形成されるとともに、前記取付壁を前記ベース壁部の外面よりも内方、かつ、前記補強リブの先端縁よりも外方に位置させる膨出部とを備えていることを特徴とする請求項５に記載の箱型容器。
【請求項７】
前記近接防止手段は、前記側壁部の横幅方向、かつ、高さ方向に対して傾斜して延びるリブを備えていることを特徴とする請求項５又は６に記載の箱型容器。
【請求項８】
前記側壁部が前記底壁部に対して相対的に回転可能に構成され、前記側壁部同士を上下に重ねるようにして折り畳み可能な箱型容器において、
前記側壁部は、相対する一対の第１側壁部と、相対する一対の第２側壁部とを備え、前記第１側壁部を略水平方向に延びるようにして畳んだ状態とすることで、前記第２側壁部を略水平方向に延びるようにして畳むことのできる構成であって、
前記第２側壁部のうち少なくとも一方において、当該第２側壁部の横幅方向中央部において前記取付壁が設けられるとともに、
前記近接防止手段は、前記内面側凹部の横幅方向中央部側、かつ、上下方向において箱型容器を折畳む際に前記第１側壁部が畳まれる側に向けて傾斜して延びているリブを備えていることを特徴とする請求項５乃至７のいずれかに記載の箱型容器。
【請求項９】
前記側壁部が前記底壁部に対して相対的に回転可能に構成され、前記側壁部同士を上下に重ねるようにして折り畳み可能な箱型容器において、
前記側壁部は、相対する一対の第１側壁部と、相対する一対の第２側壁部とを備え、前記第１側壁部を略水平方向に延びるようにして畳んだ状態とすることで、前記第２側壁部を略水平方向に延びるようにして畳むことのできる構成であって、
前記第２側壁部のうち少なくとも一方において前記取付壁が設けられるとともに、
前記取付壁と前記ベース壁部とを連結する枠状の連結壁が設けられ、
前記連結壁は、前記側壁部の外方に向けて縮径するテーパ状をなしていることを特徴とする請求項５乃至８のいずれかに記載の箱型容器。
【発明の詳細な説明】
【技術分野】
【０００１】
本発明は、物品の運搬等に使用される箱型容器に関するものである。
【背景技術】
【０００２】
従来、箱型容器は、略矩形板状の底壁部と、底壁部の側辺部から上方に延びる側壁部とを備え、上方から物品を出し入れする構成となっている。また、側壁部にＩＣタグを取付けて、箱型容器に収容された物品の管理等に役立てるといった技術がある（例えば、特許文献１等参照。）。
【先行技術文献】
【特許文献】
【０００３】
【特許文献１】実開平５−９４１３３号公報
【発明の概要】
【発明が解決しようとする課題】
【０００４】
しかしながら、上記特許文献１の技術では、ＩＣタグを中間枠に取付けてから、かかる中間枠を箱型容器に取付ける構成となっている。このため、ＩＣタグを箱型容器に取付ける作業工程が増え、作業性の低下を招くおそれがある上、中間枠を別途用意することに起因するコストアップ等が懸念される。
【０００５】
また、箱型容器に金属製の物品や液体が充填された物品等が収容されている場合には、かかる収容物がＩＣタグとの通信に悪影響を及ぼしてしまうことが懸念される。
【０００６】
本発明は、上記例示した問題点等を解決するためになされたものであって、その目的は、ＩＣタグの取付作業性の向上を図りつつ、ＩＣタグとの通信をより好適に行うことのできる箱型容器を提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．略矩形板状の底壁部と、前記底壁部の各側辺部からそれぞれ上方に延出する側壁部とを備え、少なくとも１つの前記側壁部の外面に対してＩＣタグが取付けられる箱型容器において、
前記ＩＣタグが取付けられる前記側壁部は、ベース壁部と、前記ＩＣタグが取付けられる取付面を有し、前記ベース壁部の一部を外方に膨出させることで形成されるとともに、前記取付面を前記ベース壁部の外面よりも外方に位置させる膨出部とを備え、
前記膨出部が前記側壁部の外面側に膨出形成されることによって前記側壁部の内面側に形成された内面側凹部には、当該内面側凹部の少なくとも一部を埋める近接防止手段が設けられていることを特徴とする箱型容器。
【０００９】
手段１によれば、膨出部を設けることによって、取付面に取付けられたＩＣタグをベース壁部の外面よりも外方に位置させることができる。これにより、ＩＣタグを箱型容器に収容されている物品から極力遠ざけることができる。このため、例えば、箱型容器に対して、液体が充填されたパックや金属部品等が収容されている場合に、かかる収容物がＩＣタグとの通信に悪影響を及ぼしてしまうといった事態を抑制することができる。さらに、本手段では、側壁部に対してＩＣタグが直接当接状態で取付けられている。このため、ＩＣタグを側壁部に取付けるためにはＩＣタグを別部材に取付けてから当該別部材を側壁部に取付ける必要があるような構成に比べ、取付作業性の向上、コストの削減等を図ることができる。
【００１０】
また、本手段１によれば、内面側凹部において当該内面側凹部の少なくとも一部を埋める近接防止手段が設けられている。このため、箱型容器に収容された物品（収容物）が内面側凹部に進入してしまうといった事態を抑制することができる。従って、上記のように、せっかく膨出部を形成してＩＣタグを収容物から遠ざけようとしたにもかかわらず、内容物が内面側凹部に進入することによって、膨出部を形成したことによる作用効果が上手く奏されなくなってしまうといった事態を抑止することができる。
【００１１】
尚、ベース壁部を膨出形成する（厚みをほぼ一定としたまま面変化させる）ことで取付面を外方に位置させるのではなく、ベース壁部を厚肉にしたり、ベース壁部に中空部を形成したりすることで取付面を外方に位置させることも考えられる。しかしながら、この場合、取付面を平坦にする等の精密な成形が比較的困難なものとなったり、ヒケにより外観品質が低下したりすることが懸念される。この点、本手段のように、ベース壁部を膨出形成することによって取付面を外方に位置させる構成を採用することで、上記懸念を払拭することができる。加えて、前記取付面を囲むようにして当該取付面の周縁部から外方に突出する保護部を備え、前記保護部の突出方向先端部は前記取付面に取付けられた前記ＩＣタグよりも前記側壁部の外方に位置していることとしてもよい。この場合、取付面に取付けられたＩＣタグの保護を図ることができる。
【００１２】
手段２．前記近接防止手段は、前記内面側凹部の底面から一体的に延出し、前記膨出部が形成された前記側壁部の横幅方向、かつ、高さ方向（水平方向、かつ、鉛直方向）に対して傾斜して延びるリブを備えていることを特徴とする手段１に記載の箱型容器。
【００１３】
手段２によれば、側壁部の横幅方向、かつ、高さ方向に対して傾斜して延びるリブによって近接防止手段を構成することにより、例えば、近接防止手段が内面側凹部の底面から突出する突起であったり、側壁部の横幅方向に沿って延びるリブであったりする場合に比べ、箱型容器に対して物品を出し入れする際に、物品が近接防止手段に引っ掛かり難くなるようにしたり、側壁部を洗浄した場合に近接防止手段において洗浄水が溜まり難くなるようにしたりすることができる。また、例えば、近接防止手段が側壁部の高さ方向に沿って延びるリブである場合に比べ、リブの側面側（近接防止手段を構成するリブとリブとの間）において埃等を溜まり難くすることができる。さらに、近接防止手段が側壁部とは別部材である場合に比べ、取付作業性の向上、コストの抑制、側壁部からの脱落リスクの回避、知らない間に別部材の裏面側が汚れて不衛生になることの回避等を図ることができる。
【００１４】
手段３．前記側壁部が前記底壁部に対して相対的に回転可能に構成され、前記側壁部同士を上下に重ねるようにして折り畳み可能な箱型容器において、
前記側壁部は、相対する一対の第１側壁部と、相対する一対の第２側壁部とを備え、前記第１側壁部を略水平方向に延びるようにして畳んだ状態とすることで、前記第２側壁部を略水平方向に延びるようにして畳むことのできる構成であって、
前記第２側壁部のうち少なくとも一方において、当該第２側壁部の横幅方向中央部において前記膨出部が設けられるとともに、
前記近接防止手段は、前記内面側凹部の横幅方向中央部側、かつ、上下方向において箱型容器を折畳む際に前記第１側壁部が畳まれる側に向けて傾斜して延びているリブを備えていることを特徴とする手段２に記載の箱型容器。
【００１５】
手段３によれば、第１側壁部を回動させる際に、第１側壁部の側面が第２側壁部の内面に略摺接することが考えられるが、第２側壁部に形成された内面側凹部には、第１側壁部の回動方向にほぼ沿った方向（逆らわない方向）に延びる近接防止手段としてのリブが設けられている。従って、第１側壁部を回動させる際に、第１側壁部が内面側凹部に進入するといった事態を防止しつつ、第１側壁部が近接防止手段に引っ掛かって回動変位が妨げられてしまうといった事態を回避することができる。
【００１６】
尚、第１側壁部が底壁部に対して回動可能に設けられる場合には、第２側壁部の上部に膨出部が形成され（この場合、近接防止リブは凹部の左右方向中央部側に向けて下方傾斜する）、第１及び第２側壁部の上辺部と連結される四角枠状の上枠が設けられて、第１側壁部が上辺部を回動中心として上枠側に跳ね上げられる場合には、第２側壁部の下部に膨出部が形成される（この場合、近接防止リブは凹部の左右方向中央部側に向けて上方傾斜する）こととしてもよい。この場合、膨出部において、一対の第１側壁部の回動軌道が互いに重なるといった事態を極力低減させることができ、手段３の作用効果が一層確実に奏されることとなる。
【００１７】
手段４．前記側壁部が前記底壁部に対して相対的に回転可能に構成され、前記側壁部同士を上下に重ねるようにして折り畳み可能な箱型容器において、
前記側壁部は、相対する一対の第１側壁部と、相対する一対の第２側壁部とを備え、前記第１側壁部を略水平方向に延びるようにして畳んだ状態とすることで、前記第２側壁部を略水平方向に延びるようにして畳むことのできる構成であって、
前記第２側壁部のうち少なくとも一方において前記膨出部が設けられるとともに、
前記膨出部は、前記取付面が形成される取付壁と、前記取付壁と前記ベース壁部とを連結する枠状の連結壁とを備え、
前記連結壁は、前記膨出部の膨出方向先端側に向けて縮径するテーパ状をなしていることを特徴とする手段１乃至３のいずれかに記載の箱型容器。
【００１８】
手段４によれば、連結壁が側壁部の内面側に向けて次第に拡径するテーパ状となっている。従って、第１側壁部の回動に際して、第１側壁部の側面が連結壁（内面側凹部）の内周面に接触したとしても、第１側壁部がかかる内周面によって内面側凹部の外部にまで案内されることとなり、第１側壁部の回動変位をそのままスムースに行うことができる。
【００１９】
また、連結壁（内面側凹部）の内周面が上記のように傾斜していることによって、連結壁（内面側凹部）の内周面と、取付壁の裏面（内面側凹部の底面）との連接部に埃等を溜まり難くすることができる。
【００２０】
さらに、連結壁の外周面に関しても、膨出部の突出方向先端側に向けて縮径するテーパ状になっていることによって、別部材が連結壁の外周面に接触した場合に引っ掛かってしまうといった事態を回避することができる。
【００２１】
手段５．略矩形板状の底壁部と、前記底壁部の各側辺部からそれぞれ上方に延出する側壁部とを備え、少なくとも１つの前記側壁部の外面に対してＩＣタグが取付けられる箱型容器において、
前記ＩＣタグが取付けられる前記側壁部は、当該側壁部の内面よりも外方に位置し、前記ＩＣタグが取付けられる取付壁を備え、
前記取付壁の内面側には、前記側壁部の内面との間の少なくとも一部を埋める近接防止手段が設けられていることを特徴とする箱型容器。
【００２２】
尚、側壁部の内面とは、側壁部に対してその内側から、側壁部とほぼ同じ面積の仮想平面を近接させた場合に、当該仮想平面に対して３点以上で当接し、それ以上、側壁部の外側に変位させられないように支持されている状態の仮想平面をいう。
【００２３】
手段５によれば、側壁部の内面よりも外方に位置する取付壁を設けることによって、取付壁に取付けられたＩＣタグを側壁部の内面よりも外方に位置させることができる。これにより、ＩＣタグを箱型容器に収容されている物品から極力遠ざけることができる。また、本手段５によれば、取付壁の内面側において側壁部の内面との間の少なくとも一部を埋める近接防止手段が設けられている。このため、箱型容器に収容された物品（収容物）が取付壁の内面側に進入してしまうといった事態を抑制することができる。従って、基本的に、上記手段１と同様の作用効果が奏される。
【００２４】
手段６．前記ＩＣタグが取付けられる前記側壁部は、
ベース壁部と、
前記ベース壁部から内方に延出し、延出方向先端縁によって当該側壁部の内面を構成する補強リブと、
前記取付壁を有し、前記ベース壁部の一部を内方に膨出させることで形成されるとともに、前記取付壁を前記ベース壁部の外面よりも内方、かつ、前記補強リブの先端縁よりも外方に位置させる膨出部とを備えていることを特徴とする手段５に記載の箱型容器。
【００２５】
手段６によれば、基本的に、上記手段１や手段５等と同様の作用効果が奏される。
【００２６】
手段７．前記近接防止手段は、前記側壁部の横幅方向、かつ、高さ方向に対して傾斜して延びるリブを備えていることを特徴とする手段５又は６に記載の箱型容器。
【００２７】
手段７によれば、基本的に上記手段２と同様の作用効果が奏される。
【００２８】
手段８．前記側壁部が前記底壁部に対して相対的に回転可能に構成され、前記側壁部同士を上下に重ねるようにして折り畳み可能な箱型容器において、
前記側壁部は、相対する一対の第１側壁部と、相対する一対の第２側壁部とを備え、前記第１側壁部を略水平方向に延びるようにして畳んだ状態とすることで、前記第２側壁部を略水平方向に延びるようにして畳むことのできる構成であって、
前記第２側壁部のうち少なくとも一方において、当該第２側壁部の横幅方向中央部において前記取付壁が設けられるとともに、
前記近接防止手段は、前記内面側凹部の横幅方向中央部側、かつ、上下方向において箱型容器を折畳む際に前記第１側壁部が畳まれる側に向けて傾斜して延びているリブを備えていることを特徴とする手段５乃至７のいずれかに記載の箱型容器。
【００２９】
手段８によれば、基本的に上記手段３と同様の作用効果が奏される。
【００３０】
手段９．前記側壁部が前記底壁部に対して相対的に回転可能に構成され、前記側壁部同士を上下に重ねるようにして折り畳み可能な箱型容器において、
前記側壁部は、相対する一対の第１側壁部と、相対する一対の第２側壁部とを備え、前記第１側壁部を略水平方向に延びるようにして畳んだ状態とすることで、前記第２側壁部を略水平方向に延びるようにして畳むことのできる構成であって、
前記第２側壁部のうち少なくとも一方において前記取付壁が設けられるとともに、
前記取付壁と前記ベース壁部とを連結する枠状の連結壁が設けられ、
前記連結壁は、前記側壁部の外方に向けて縮径するテーパ状をなしていることを特徴とする手段５乃至８のいずれかに記載の箱型容器。
【００３１】
手段９によれば、基本的に上記手段４と同様の作用効果が奏される。
【図面の簡単な説明】
【００３２】
【図１】一実施形態における折畳み容器の斜視図である。
【図２】蓋部材を開状態とした折畳み容器の斜視図である。
【図３】折り畳み、或いは、組立ての過程にある折畳み容器の斜視図である。
【図４】折り畳み、或いは、組立ての過程にある折畳み容器の斜視図である。
【図５】折畳まれた折畳み容器の斜視図である。
【図６】図５のＡ−Ａ線断面図である。
【図７】下壁部を内面側から見た斜視図である。
【図８】下壁部を外面側から見た斜視図である。
【図９】図８のＢ−Ｂ線断面を含む斜視図である。
【図１０】ＩＣタグの表面図である。
【図１１】ＩＣタグ取付前の取付台等を示す部分拡大正面図である。
【図１２】ＩＣタグ取付後の取付台等を示す部分拡大正面図である。
【図１３】別の実施形態における下壁部を外面側から見た一部断面を含む斜視図である。
【図１４】別の実施形態における下壁部の断面模式図である。
【発明を実施するための形態】
【００３３】
以下に、一実施形態について図面を参照して説明する。図１、図２に示すように、箱型容器としての折畳み容器１は、上方に開口する略四角箱状をなし、物品を収容可能な容器本体２と、容器本体２の開口部を開閉可能な一対の蓋部材３とを備えている。本実施形態の容器本体２及び蓋部材３は、それぞれポリプロピレンにより構成されている。
【００３４】
容器本体２は、略矩形板状の底壁部１１と、底壁部１１の相対する一対の長辺部に対応してそれぞれ設けられた長辺側側壁部１２と、底壁部１１の相対する一対の短辺部に対応してそれぞれ設けられた短辺側側壁部１３と、長辺側側壁部１２及び短辺側側壁部１３の上辺部に沿って設けられた四角枠状の上枠１４とを備えている。
【００３５】
また、図３〜図６に示すように、本実施形態の容器本体２は折り畳み可能に構成されている。すなわち、長辺側側壁部１２は、底壁部１１の長辺部に対して回動可能に連結される下壁部１５と、上枠１４の長辺部に対して回動可能に連結される上壁部１６とを備え、下壁部１５の上辺部と上壁部１６の下辺部とが回動可能に連結されている。本実施形態では、図４に示すように、上壁部１６と下壁部１５との連結部を容器本体２の内側に押し込むように押圧することで、上壁部１６の外面と下壁部の外面とを合わせるようにして長辺側側壁部１２を折り畳み可能になっている。
【００３６】
短辺側側壁部１３は、上枠１４の短辺部に対して回動可能に連結されている。本実施形態では、図３に示すように、短辺側側壁部１３を容器本体２の内側に押し込むように押圧することで、短辺側側壁部１３を略水平に延在するまで回動可能になっている（図６参照）。また、短辺側側壁部１３の横幅は、一対の長辺側側壁部１２間の距離とほぼ同じであり、容器本体２の組立状態では一対の長辺側側壁部１２の間に位置している上、短辺側側壁部１３と上枠１４との回転軸は、長辺側側壁部１２と上枠１４との回転軸よりも上方に位置している。このため、組立状態にある容器本体２は、先ず、一対の短辺側側壁部１３を容器本体２の内側に押圧して水平に延在するまで回動させてから、一対の長辺側側壁部１２を折り曲げることで、折り畳むことができるようになっている。尚、容器本体２の組立状態において、短辺側側壁部１３と底壁部１１とを係止させたり、短辺側側壁部１３と長辺側側壁部１２とを係止させたりする係止手段を設けることとしてもよい。
【００３７】
図２に示すように、上枠１４は、一対の長辺側側壁部１２にそれぞれ連結される一対の長辺部（以下、「長辺側枠構成部１７」と称する）と、一対の短辺側側壁部１３にそれぞれ連結される一対の短辺部（以下、「短辺側枠構成部１８」と称する）とを備え、上枠１４の外寸は、底壁部１１の外寸とほぼ等しくなっている。また、容器本体２の組立状態では、長辺側側壁部１２及び短辺側側壁部１３の内面と、上枠１４の内周面とがほぼ面一となるように構成されている。加えて、長辺側側壁部１２及び短辺側側壁部１３は、容器本体２の組立状態であっても、上枠１４や底壁部１１の外周縁よりも外周側には突出しないように構成されている（図１参照）。また、容器本体２の折り畳み状態では、折り畳まれた長辺側側壁部１２と、その上方に重なる短辺側側壁部１３とが上枠１４の内周側に収容されるとともに、底壁部１１と上枠１４とが上下に直接当接するように構成されている（図５、図６参照）。
【００３８】
加えて、図６に示すように、底壁部１１の下面側には、底壁部１１のうち、容器本体２を平面視した場合に上枠１４よりも内周側に位置する範囲から下方に突出する格子状の支持リブ１９が設けられている。そして、容器本体２を床面に設置した場合には、支持リブ１９の下縁部が床面に接地し、容器本体２が支持される構成となっている。
【００３９】
図１、図２に示すように、蓋部材３は、上枠１４の相対する一対の長辺側枠構成部１７の上辺部に対してそれぞれ回動可能に連結されている。本実施形態の蓋部材３は、容器本体２の開口部を覆って略水平に延び、上枠１４の上辺部に支持される位置から、蓋部材３の上面が長辺側側壁部１２の外面と対向するようにして長辺側側壁部１２の外面側に並設されて略鉛直に延びる位置となるまで開放可能に構成されている。尚、一対の蓋部材３は同形状のものであり、向い合せにしてそれぞれ長辺側枠構成部１７に取付けられている。
【００４０】
また、蓋部材３には、一対の蓋部材３の突合わせ側の開放側端縁から蓋部材３の上面を延長させるようにして突出形成された平面視略台形状の張出し部２１が設けられている。これに対し、蓋部材３の上面側には、一対の蓋部材３をともに閉状態とする際に、他方の蓋部材３の張出し部２１を収容可能な収容凹部２２が形成されている。そして、開状態にある一対の蓋部材３を同時に閉方向に変位させることで、張出し部２１の干渉を回避しつつ、一対の蓋部材３を閉状態とすることができ、一対の蓋部材３が閉状態とされると、各蓋部材３の張出し部２１が相手側の蓋部材３の収容凹部２２に収容されることとなる。
【００４１】
加えて、上枠１４の長辺側枠構成部１７及び短辺側枠構成部１８の上辺部には、上方に突出する位置決め突部２３が設けられている。これに対応して、各蓋部材３には、閉状態とされた場合に、位置決め突部２３が挿通される位置決め開口部２４が形成されている。当該構成により、閉状態にある蓋部材３の水平方向における位置ずれが防止されることとなる。さらに、図１等に示すように、位置決め突部２３は、蓋部材３を閉状態とした場合においても、蓋部材３の上面よりも上方にまで突出している。そして、蓋部材３を閉状態として、折畳み容器１同士を上下に積み重ねた（段積みした）場合、上側の折畳み容器１の容器本体２の支持リブ１９の下面が、下側の折畳み容器１の蓋部材３の上面に支持されるとともに、上側の折畳み容器１の支持リブ１９の外周面が、下側の折畳み容器１の複数の位置決め突部２３の側面と対向配置され、これによって上下に段積みされた折畳み容器１同士の水平方向における位置ずれが防止されるようになっている。尚、位置決め突部２３によって段積み時の折畳み容器１の位置決めを行う構成に代えて、蓋部材３に対して上面から上方に突出するずれ止め凸部を設けて、かかるずれ止め凸部によって段積み時の折畳み容器１の位置決めを行うように構成してもよい。
【００４２】
さて、本実施形態では、折畳み容器１に収容されている物品等を示す識別情報を記憶しているＩＣタグ（ＲＦＩＤ；Ｒａｄｉｏ  ｆｒｅｑｕｅｎｃｙ  ｉｄｅｎｔｉｆｉｃａｔｉｏｎ）５１が長辺側側壁部１２の下壁部１５に取付けられるようになっている。以下、下壁部１５について、図７〜図９等を参照して説明する。尚、本実施形態の下壁部１５は左右対称形状であり、一対の長辺側側壁部１２の下壁部１５は同一形状である。
【００４３】
図８等に示すように、各下壁部１５は、左右に長い略長方形平板状のベース壁部３１と、ベース壁部３１の下辺部に設けられ、底壁部１１の長辺部に対して回動可能に連結される下ヒンジ部３２と、ベース壁部３１の上辺部に設けられ、上壁部１６の下辺部に対して回動可能に連結される上ヒンジ部３３と、ベース壁部３１の横幅方向中央部において外方に膨出するとともに、ＩＣタグ５１が取付けられる取付台３４とを備えている。また、図７等に示すように、ベース壁部３１の横幅方向中央部には、略正方形状の切欠き部３５が形成されている。
【００４４】
図８、図９等に示すように、取付台３４は、切欠き部３５の周縁部から下壁部１５の外方に向けて次第に縮径しつつ突出する四角枠状の連結壁３６と、連結壁３６の先端縁から連結壁３６の内周側、かつ、下壁部１５の内方に向けて延びる四角枠状の折り返し部３７と、折り返し部３７の先端縁の内周側に形成される開口部を閉塞し、ベース壁部３１とほぼ平行して延在する取付壁３８とを備えている。本実施形態では、取付壁３８の外面が、ＩＣタグ５１を取付ける取付面３９となっている。また、下壁部１５の厚み方向において、連結壁３６のベース壁部３１からの突出長は、折り返し部３７の連結壁３６先端縁からの延出長よりも長くなっている。これにより、取付壁３８の取付面３９、ひいては、取付面３９に取付けられたＩＣタグ５１は、ベース壁部３１の外面よりも外方に位置することとなっている。尚、本実施形態では、取付台３４が膨出部を構成する。
【００４５】
図１０に示すように、ＩＣタグ５１は、長方形のシート状で紙製の基部５２と、識別情報を記憶するＩＣチップ５３と、アンテナ部５４とを備えている。
【００４６】
また、図１１、図１２等に示すように、取付壁３８の取付面３９は、ＩＣタグ５１の基部５２よりも面積が広く構成されている。本実施形態では、取付面３９にＩＣタグ５１を面当接させて、さらにその上からＩＣタグ５１の基部５２よりも面積の広い透明なラミネートシール５６をＩＣタグ５１に被せるようにして取付面３９に貼着することで、ＩＣタグ５１が取付台３４に取付けられている。さらに、取付壁３８の取付面３９には、ＩＣタグ５１の基部５２の外寸とほぼ同じ大きさの（若干大きい）凹状をなし、基部５２の少なくとも内面（取付壁３８と当接する面）を内側に収容可能な位置決め凹部４１が形成されている。これにより、位置決め凹部４１に設置されたＩＣタグ５１の取付壁３８の面方向における位置ずれが防止されることとなる。
【００４７】
加えて、位置決め凹部４１の底面には、位置決め凹部４１に設置されたＩＣタグ５１のＩＣチップ５３に対応する部位において、ＩＣチップ５３との接触を回避可能とする接触回避部としての接触回避凹部４２が形成されている。接触回避凹部４２は、ＩＣチップ５３よりも一回り大きく、ＩＣタグ５１の取付状態では、ＩＣチップ５３が接触回避凹部４２の内周側に相対位置している。尚、接触回避凹部４２は、位置決め凹部４１の中央部を中心とした点対称位置に２つ形成されている。これにより、ＩＣタグ５１の向きを上下反対に取付けても、ＩＣチップ５３がどちらかの接触回避凹部４２に収容されることとなる。
【００４８】
また、ＩＣタグ５１の取付状態では、連結壁３６の突出方向先端縁が、ＩＣタグ５１よりも下壁部１５の外方に位置している。これにより、例えば、組立状態にある折畳み容器１の長辺側側壁部１２が倉庫等の壁面に当接したとしても、ＩＣタグ５１がかかる壁面に当接する前に、連結壁３６と折り返し部３７との連接部がかかる壁面に当接することとなるため、ＩＣタグ５１の保護を図ることができる。本実施形態では、連結壁３６のうち取付面３９よりも外方に突出した部位、及び、折り返し部３７が、保護部を構成する。
【００４９】
また、図７等に示すように、下壁部１５のベース壁部３１に対して取付台３４が外方に膨出形成されることによって、下壁部１５の内面側には内面側凹部４５が形成されている。さらに、内面側凹部４５には、内面側凹部４５の底面から延出する近接防止手段としての近接防止リブ４６が設けられている。当該近接防止リブ４６についても、取付台３４等とともに、下壁部１５と一体成形される。
【００５０】
近接防止リブ４６は、内面側凹部４５の左右方向中央部において、下壁部１５の高さ方向（上下方向）に沿って延びる中央リブ４７と、内面側凹部４５（連結壁３６）の内周面と中央リブ４７の側面との間、又は、内面側凹部４５の内周面の異なる２点間を連結するようにして、内面側凹部４５の左右方向中央部側に向けて上方傾斜して延びる複数の傾斜リブ４８とを備えている。中央リブ４７を境界として内面側凹部４５の左右の領域にそれぞれ設けられる複数の傾斜リブ４８は、中央リブ４７を中心として互いに線対称形状となるように延在している。加えて、中央リブ４７及び傾斜リブ４８からなる近接防止リブ４６の内面側凹部４５底面からの突出方向先端縁は、ベース壁部３１の内面と面一となっている。
【００５１】
尚、上記のように、連結壁３６はテーパ状をなしているため、その内面である内面側凹部４５の内周面についても、ベース壁部３１の内面に向けて次第に拡径するテーパ面（傾斜面）となっている。また、折畳み容器１を折り畳んだり、組み立てたりする場合において、短辺側側壁部１３を回動変位させる際に、当該短辺側側壁部１３の側面下部が、内面側凹部４５の直前を通過することとなり、近接防止リブ４６に近接或いは摺接するようになっている（図３参照）。
【００５２】
以上詳述したように、本実施形態によれば、ＩＣタグ５１が取付けられる下壁部１５において、ベース壁部３１から外方に膨出する取付台３４を設けることによって、取付台３４の取付壁３８外面（取付面３９）に取付けられたＩＣタグ５１をベース壁部３１の外面よりも外方に位置させることができる。これにより、ＩＣタグ５１を折畳み容器１に収容されている物品から極力遠ざけることができる。このため、例えば、折畳み容器１に対して、液体が充填されたパックや金属部品等が収容されている場合に、かかる収容物がＩＣタグ５１との通信に悪影響を及ぼしてしまうといった事態を抑制することができる。
【００５３】
また、取付台３４を設けることによって、ＩＣタグ５１がベース壁部３１の外面よりも外方に位置されるため、ＩＣタグ５１が別部材に接触して、損傷したり、捲れたりするおそれが高まる。この点、本実施形態では、取付台３４の連結壁３６が、取付面３９を囲むようにして、当該取付面３９に取付けられたＩＣタグ５１よりも外方にまで突出形成されている。従って、ＩＣタグ５１に対して別部材が接触してしまうといった事態を抑制することができ、ＩＣタグ５１をより確実に保護することができる。
【００５４】
さらに、本実施形態では、長辺側側壁部１２の下壁部１５に対してＩＣタグ５１が直接当接状態で取付けられている。このため、ＩＣタグ５１を下壁部１５に取付けるためにはＩＣタグ５１を別部材に取付けてから当該別部材を下壁部１５に取付ける必要があるような構成に比べ、取付作業性の向上、コストの削減等を図ることができる。
【００５５】
加えて、取付面３９には、ＩＣタグ５１のＩＣチップ５３を収容して、当該ＩＣチップ５３と取付面３９との接触を回避させることのできる接触回避凹部４２が形成されている。このため、たとえＩＣタグ５１が押圧されたとしても、ＩＣチップ５３と取付面３９とが圧接し、ＩＣチップ５３が押し潰されてしまうといった事態を回避することができる。
【００５６】
また、取付面３９には、ＩＣタグ５１の基部５２の外寸とほぼ同じ大きさの位置決め凹部４１が形成され、ＩＣタグ５１の基部５２の当接面側が位置決め凹部４１に収容されることよってＩＣタグ５１の位置決めが行われるようになっている。これにより、ＩＣタグ５１の位置ずれをより確実に防止できる上、ＩＣタグ５１の取付作業性の向上をも図ることができる。さらに、ＩＣタグ５１の基部５２と、位置決め凹部４１とで位置決めが行われることによって、ＩＣチップ５３と接触回避凹部４２とをより確実に位置合わせすることができる。従って、ラミネートシール５６の貼着作業時等において、ＩＣタグ５１が接触回避凹部４２に対して位置ずれし、ＩＣチップ５３と接触回避凹部４２の内側面とが当接してしまうといった事態をより確実に防止することができる。
【００５７】
また、本実施形態によれば、取付台３４を下壁部１５の外方に膨出形成することに起因して下壁部１５の内面側に形成されることとなる内面側凹部４５において、内面側凹部４５の底面から延出する近接防止リブ４６が設けられている。このため、折畳み容器１に収容された物品（収容物）が内面側凹部４５に進入してしまうといった事態を抑制することができる。従って、上記のように、せっかく取付台３４を形成してＩＣタグ５１を収容物から遠ざけようとしたにもかかわらず、内容物が内面側凹部４５に進入することによって、取付台３４を形成したことによる作用効果が上手く奏されなくなってしまうといった事態を抑止することができる。
【００５８】
尚、ベース壁部３１を膨出形成する（厚みをほぼ一定としたまま面変化させる）ことで取付面３９を外方に位置させるのではなく、ベース壁部３１を厚肉にしたり、ベース壁部３１に中空部を形成したりすることで取付面３９を外方に位置させることも考えられる。しかしながら、この場合、取付面３９を平坦にする等の精密な成形が比較的困難なものとなったり、ヒケにより外観品質が低下したりすることが懸念される。この点、本実施形態のように、ベース壁部３１を膨出形成することによって取付面３９を外方に位置させる構成を採用することで、上記懸念を払拭することができる。
【００５９】
さらに、近接防止リブ４６は、内面側凹部４５の横幅方向中央部において下壁部１５の高さ方向（上下）に延びる中央リブ４７と、内面側凹部４５の中央部側かつ上方に向けて傾斜して延びる複数の傾斜リブ４８とを備えている。このように、本例では、下壁部１５の横幅方向、かつ、高さ方向に対して傾斜して延びる傾斜リブ４８によって近接防止リブ４６を構成することとしている。これにより、例えば、近接防止リブ４６が下壁部１５の横幅方向に沿って延びる横リブであったりする場合に比べ、折畳み容器１に対して物品を出し入れする際に、物品が近接防止リブ４６に引っ掛かり難くなるようにしたり、下壁部１５を洗浄した場合に近接防止リブ４６において洗浄水が溜まり難くなるようにしたりすることができる。また、例えば、近接防止リブ４６が下壁部１５の高さ方向に沿って延びる縦リブのみで構成される場合に比べ、隣接するリブ間において埃等を溜まり難くすることができる。さらに、近接防止リブ４６が下壁部１５とは別部材である場合に比べ、取付作業性の向上、コストの抑制、下壁部１５からの脱落リスクの回避、知らない間に別部材の裏面側が汚れて不衛生になることの回避等を図ることができる。
【００６０】
また、短辺側側壁部１３を回動させる際に、短辺側側壁部１３の側面が長辺側側壁部１２の内面に略摺接することが考えられるが、長辺側側壁部１２の下壁部１５に形成された内面側凹部４５には、短辺側側壁部１３の回動方向にほぼ沿った方向（逆らわない方向）に延びる近接防止リブ４６（傾斜リブ４８）が設けられている。従って、短辺側側壁部１３を回動させる際に、短辺側側壁部１３が内面側凹部４５に進入するといった事態を防止しつつ、短辺側側壁部１３が近接防止リブ４６に引っ掛かって回動変位が妨げられてしまうといった事態を回避することができる。
【００６１】
尚、例えば、短辺側側壁部１３にＩＣタグ５１を取付ける場合には、短辺側側壁部１３を回動させる（跳ね上げる）際のＩＣタグ５１の視認性が悪い（基本的に短辺側側壁部１３の外面を目視せずに押し上げる）ことから、作業者が不用意にＩＣタグ５１に接触してしまうことが懸念される。このため、本実施形態のように、ＩＣタグ５１は長辺側側壁部１２に設けられる方が望ましい。
【００６２】
加えて、連結壁３６が下壁部１５の内面側に向けて次第に拡径するテーパ状となっている。従って、短辺側側壁部１３の回動に際して、短辺側側壁部１３の側面が連結壁３６（内面側凹部４５）の内周面に接触したとしても、短辺側側壁部１３がかかる内周面によって内面側凹部４５の外部にまで案内されることとなり、短辺側側壁部１３の回動変位をそのままスムースに行うことができる。
【００６３】
また、連結壁３６（内面側凹部４５）の内周面が上記のように傾斜していることによって、連結壁３６（内面側凹部４５）の内周面と、取付壁３８の裏面（内面側凹部４５の底面）との連接部に埃等を溜まり難くすることができる。
【００６４】
さらに、連結壁３６の外周面に関しても、取付台３４の突出方向先端側に向けて縮径するテーパ状になっていることによって、別部材が連結壁３６の外周面に接触した場合に引っ掛かってしまうといった事態を回避することができる。
【００６５】
尚、上記実施形態の記載内容に限定されず、例えば次のように実施してもよい。勿論、以下において例示しない他の応用例、変更例も当然可能である。
【００６６】
（ａ）上記実施形態では、容器本体２が折り畳み可能な折畳み容器１に具体化されているが、折り畳むことのできない容器本体を具備する（容器本体が一体成形された）箱型容器に適用することも可能である。また、上記実施形態では、容器本体２は、上枠１４を備えるとともに、長辺側側壁部１２の上下方向中間位置が内側に屈曲する折り畳み式の容器であったが、別の折り畳み式の容器（例えば、上枠１４がなく、かつ、長辺側側壁部１２が上下方向中間位置で屈曲せず、長辺側側壁部１２及び短辺側側壁部１３が底壁部１１に対して回動可能に連結されて底壁部１１の上方に重ねて折り畳むことのできる折り畳み容器）を採用してもよい。
【００６７】
また、底壁部１１に対して各側壁部１２、１３を回動可能に連結する構成を採用する場合、折畳み容器１を折り畳む際に、短辺側側壁部１３が畳まれた後に畳まれることとなる長辺側側壁部１２（上記実施形態のようには屈曲しない）のうち、横幅方向中央部、かつ、上下方向における上部において取付台３４（内面側凹部４５）が設けられていることとしてもよい。すなわち、当該構成においては、短辺側側壁部１３が上方に跳ね上げられるのではなく、底壁部１１の上面に傾倒させられるため、一対の短辺側側壁部１３の回転軌道が下方においてより多く重なることとなる。つまり、取付台３４（内面側凹部４５）を長辺側側壁部１２の下部に設けると、近接防止リブ４６を一方の短辺側側壁部１３の回転軌道に極力沿わせて傾斜させて形成しても、他方の短辺側側壁部１３の回転軌道に交差する方向に延びてしまうこととなる。それ故、かかる構成を採用する場合においては、取付台３４（内面側凹部４５）は、長辺側側壁部１２の極力上部に設けることが望ましい。さらに、かかる構成を採用する場合には、近接防止リブ４６の傾斜リブ４８は、内面側凹部４５の横幅方向中央部側に向けて下方傾斜している（上記実施形態とは逆向き）こととする。
【００６８】
さらに、上記実施形態では、容器本体２に対して蓋部材３が回動可能に連結された容器に具体化されているが、別のタイプの蓋部材３、例えば、着脱自在な蓋部材を備える容器に適用してもよいし、蓋部材のない容器に適用してもよい。加えて、上記実施形態では、一対の長辺側側壁部１２の下壁部１５に対して取付台３４が設けられてＩＣタグ５１が取付けられる構成であったが、ＩＣタグ５１の取付対象となる部位は特に限定されるものではなく、適用される容器毎に適宜設定可能である。
【００６９】
（ｂ）上記実施形態では、連結壁３６が取付壁３８よりも外方にまで突出しているが、例えば、折り返し部３７が省略されるような格好で、連結壁３６の先端縁に直接取付壁３８が連結されていることとしてもよい。但し、取付面３９に取付けられたＩＣタグ５１の保護を図るべく、取付壁３８の周縁部から取付面３９を囲むようにして外方に突出する保護部を設けることが望ましい。
【００７０】
また、ＩＣタグ５１の外部からの接触の低減を図るべく、取付壁３８の全周に対応して（隙間なく）連結壁３６が取付壁３８よりも外方に突出しているが、取付壁３８の周方向において部分的に突出している構成であってもよい。但し、ＩＣタグ５１の各側辺部にそれぞれ対応する突部が設けられることが望ましい。
【００７１】
（ｃ）上記実施形態では、近接防止リブ４６が下壁部１５の高さ方向に沿って延びる中央リブ４７と、斜めに延びる傾斜リブ４８とによって構成されているが、特に当該構成に限定されるものではなく、例えば、下壁部１５の高さ方向（鉛直方向）に沿って延びる縦リブのみで近接防止リブ４６を構成したり、下壁部１５の横幅方向（水平方向）に沿って延びる横リブのみで近接防止リブ４６を構成したりすることとしてもよい。また、例えば、近接防止手段として、近接防止リブ４６に代えて、又は、加えて、内面側凹部４５の底面（取付壁３８の裏面）から突出する突起を設けたり、内面側凹部４５に対して別部材の内蓋を内嵌させたりしてもよい。
【００７２】
但し、上記実施形態のように、折畳み容器１において、折畳みの際に短辺側側壁部１３が畳まれた（跳ね上げられた）後に折り畳まれることとなる長辺側側壁部１２に適用される場合には、短辺側側壁部１３の回動に際して当該短辺側側壁部１３が近接防止手段に引っ掛からないように、近接防止手段として、短辺側側壁部１３の回動軌道に対して交差する方向に延びるリブや突起を採用することは控える方が好ましい。また、別部材の内蓋を近接防止手段として採用する場合、取付作業性の低下、コストの増加、下壁部１５からの脱落、知らない間に裏面側が汚れて衛生面が低下する等の各種不具合を招くおそれがあるため、近接防止手段は下壁部１５と一体成形されることが望ましい。
【００７３】
（ｄ）上記実施形態では特に言及していないが、位置決め凹部４１や接触回避凹部４２は、取付壁３８の肉厚を変化させることなく、取付面３９の該当部位をその周りに比べて一段低くすることによって形成してもよいし、取付面３９の該当部位を若干薄肉にすることで凹部を形成することとしてもよい。さらに、接触回避凹部４２に代えて、同じ個所に孔部を形成することでも、ＩＣチップ５３と取付壁３８との接触を回避するといった同様の作用効果が奏される。
【００７４】
また、取付面３９や位置決め凹部４１の正面視の形状や接触回避凹部４２の位置等は特に限定されるものではなく、取付られ得るＩＣタグ５１の形状に対応して適宜設定可能である。さらに、ＩＣタグ５１の形状や構成についても特に限定されるものではなく、例えば、基部５２が樹脂製のものであったり、ＩＣチップ５３が基部５２から突出することなく基部５２の厚み内に収められているものであったりしてもよい。また、ＩＣタグ５１のうちＩＣチップ５３が取付けられた面を取付面３９に対向させて（当接させて）ＩＣタグ５１を取付けることとし、ＩＣチップ５３が接触回避凹部４２の内側において、該接触回避凹部４２の壁面から離間した状態で収容されていることとしてもよい。
【００７５】
加えて、ＩＣタグ５１の取付面３９への取付方法についても特に限定されるものではなく、例えば、ＩＣタグ５１自体に接着材が塗布された接着面が形成されていて、かかる接着面を取付面３９に接着することとしてもよい。さらに、例えば、ＩＣタグ５１がカード型のもの（ＩＣカード等）であって、取付台３４にＩＣタグ５１をスライド取付可能とするホルダと、ＩＣタグ５１の抜け止めを行うロック手段（弾性片やスライド片やボルト、ネジ等）とを設けることとしてもよい。この場合、ホルダやロック手段によって保護部を構成する。また、ロック手段が取付壁３８の裏面側に突出したとしても、内面側凹部４５の内側であれば、近接防止リブ４６によって、短辺側側壁部１３のロック手段への接触を回避することができる。
【００７６】
（ｅ）上記実施形態において、位置決め凹部４１を部分的に（例えば、各側辺部の中央部を）外周側に延長形成したり、取付面３９のうち位置決め凹部４１よりも外周側の部位をシボ加工してもよい。これらの構成を採用する場合、位置決め凹部４１の位置決め効果はそのままに、ラミネートシール５６を剥がし易くしたり、ラミネートシール５６を剥がした後に、接着剤が取付面３９に残存したりすることを抑制することができる。尚、位置決め凹部４１や接触回避凹部４２を省略することも可能である。
【００７７】
（ｆ）上記実施形態では、折畳み容器１はポリプロピレンにより構成されているが、ポリエチレン、ＰＥＴ、ポリアミド等その他の樹脂材料により構成されることとしてもよい。
【００７８】
（ｇ）上記実施形態では、取付台３４がベース壁部３１から外方に膨出形成されているが、例えば、図１３や図１４に示すように、ベース壁部３１の内面から内方に延出するようにして補強リブ６１（例えば、延出長がほぼ一定の縦リブや横リブ等）が設けられ、当該補強リブ６１の内側先端縁によって内面が形成されているような構成の下壁部１５を採用する場合においては、取付台３４は、ベース壁部３１から内方に突出するようにして形成されていることとしてもよい。この場合、取付壁３８は、ベース壁部３１の外面よりも内方、かつ、補強リブ６１の内側先端縁よりも外方に位置することとなる上、取付壁３８の外面側に取付けられたＩＣタグ５１はベース壁部３１よりも内方に位置することとなる。また、本実施形態では、補強リブ６１が取付台３４に対応する部位にも形成されている（取付台３４のうち下壁部１５の内面側の面から延出している）。以上のような構成により、ＩＣタグ５１を折畳み容器１に収容されている物品から極力遠ざけるとともに、ベース壁部３１よりも内方に位置するＩＣタグ５１に対して別部材が接触してしまうといった事態を抑制することができる。
【００７９】
尚、本態様例においては、ベース壁部３１によって保護部が構成され、補強リブ６１のうち取付台３４に対応する部位に形成されたものが近接防止手段（近接防止リブ４６）を構成している。また、例えば、取付台３４から補強リブ６１を延出させなくても、取付台３４を囲むようにして取付台３４周縁部のベース壁部３１から延出させた補強リブ６１によって、近接防止リブ４６を構成することとしてもよい。但し、収容物のＩＣタグ５１側への接近をより確実に防止するべく、取付台３４からも補強リブ６１（近接防止リブ４６）を延出させることが望ましい。
【符号の説明】
【００８０】
１…折畳み容器、２…容器本体、３…蓋部材、１１…底壁部、１２…長辺側側壁部、１３…短辺側側壁部、１４…上枠、１５…下壁部、１６…上壁部、３１…ベース壁部、３４…取付台、３６…連結壁、３６…折り返し部、３８…取付壁、３９…取付面、４１…位置決め凹部、４２…接触回避凹部、４５…内面側凹部、４６…近接防止リブ、４８…傾斜リブ、５１…ＩＣタグ、５２…基部、５３…ＩＣチップ、５４…アンテナ部。
【図１】
2014005029.tif 000003
【図２】
2014005029.tif 000004
【図３】
2014005029.tif 000005
【図４】
2014005029.tif 000006
【図５】
2014005029.tif 000007
【図６】
2014005029.tif 000008
【図７】
2014005029.tif 000009
【図８】
2014005029.tif 000010
【図９】
2014005029.tif 000011
【図１０】
2014005029.tif 000012
【図１１】
2014005029.tif 000013
【図１２】
2014005029.tif 000014
【図１３】
2014005029.tif 000015
【図１４】
2014005029.tif 000016